(57)【要約】【課題】写真プリントシステムにおいて、オペレータの作業負担を可及的に軽減しながら、同一画像を複数の記録媒体に記録できるようにする。【解決手段】入力された写真プリント作製用の画像データを補正処理する画像処理装置５と、入力されたデータを記録媒体に記録するデータ記録装置ＤＲと、前記画像処理装置５から出力された画像データを前記データ記録装置ＤＲにて前記記録媒体に記録させる制御装置４と、前記画像処理装置５から出力された画像データに基づいて写真プリントを作製する写真プリント装置とが設けられた写真プリントシステムにおいて、前記制御装置４に対して同一の画像の画像データを記録する記録媒体の数を指示入力する入力操作手段が設けられ、前記制御装置４は、前記入力操作手段から指示入力された数の前記記録媒体に対して、同一の画像の画像データを記録させるように構成されている。【選択図】図１
2005250075.tif 000002
【特許請求の範囲】
【請求項１】
入力された写真プリント作製用の画像データを補正処理する画像処理装置と、入力されたデータを記録媒体に記録するデータ記録装置と、前記画像処理装置から出力された画像データを前記データ記録装置にて前記記録媒体に記録させる制御装置と、前記画像処理装置から出力された画像データに基づいて写真プリントを作製する写真プリント装置とが設けられた写真プリントシステムであって、
前記制御装置に対して同一の画像の画像データを記録する記録媒体の数を指示入力する入力操作手段が設けられ、
前記制御装置は、前記入力操作手段から指示入力された数の前記記録媒体に対して、同一の画像の画像データを記録させるように構成されている写真プリントシステム。
【請求項２】
前記入力操作手段は、同一の画像の画像データを記録する前記記録媒体の数をオーダー単位で指定するように構成され、
前記制御装置は、同一の画像を複数の記録媒体に記録するときに、オーダー単位で、前記記録媒体への記録を繰り返すように構成されている請求項１記載の写真プリントシステム。
【請求項３】
前記制御装置は、複数の前記記録媒体に対して同一の画像の画像データを記録するときに、前記記録媒体間で画像データのデータフォーマットを変更可能に構成されている請求項１又は２に記載の写真プリントシステム。
【請求項４】
前記制御装置は、前記記録媒体の収納ケースに添付するラベル用に、前記記録媒体に記録した画像の縮小画像をプリントしたインデックスプリントを、前記入力操作手段から指示入力された数と同数分作製させるように構成されている請求項１〜３のいずれか１項に記載の写真プリントシステム。
【発明の詳細な説明】
【技術分野】
【０００１】
本発明は、入力された写真プリント作製用の画像データを補正処理する画像処理装置と、入力されたデータを記録媒体に記録するデータ記録装置と、前記画像処理装置から出力された画像データを前記データ記録装置にて前記記録媒体に記録させる制御装置と、前記画像処理装置から出力された画像データに基づいて写真プリントを作製する写真プリント装置とが設けられた写真プリントシステムに関する。
【背景技術】
【０００２】
かかる写真プリントシステムでは、例えば写真フィルムの読取り画像やメモリーカードからの取込み画像の画像データによって写真プリントを作製するシステムであり、単に写真プリントを作製する機能の他に、下記特許文献１にも記載のように、例えばＣＤ−Ｒメディアや光磁気ディスク等の各種の記録媒体に、前記画像処理装置にて補正処理した高品質の画像を記録して顧客に提供できる機能をも有している。
データ記録装置による画像データの記録媒体への記録処理を含む場合の写真プリントシステムにおける処理の流れとしては、例えば写真フィルム等から画像を取込み、その取込んだ画像に対して補正処理を施し、補正処理の完了した画像データを、前記データ記録装置へ送って記録媒体へ記録させると共に、写真プリント装置へ送って写真プリントを作製させる、という一連の処理を流れ作業的に処理して行く。
【０００３】
画像データを前記データ記録装置へ送っている間は記録対象の画像の画像データを保持しておくために処理の流れがストップしてしまうので、データ記録装置への画像データの送信期間は極力短いことが望まれる。
又、写真プリントを作製した画像を記録媒体に記録して提供すると、その記録媒体は写真プリントのオリジナルデータとして恒久的に保存されたり、あるいは、焼き増し注文等に利用される場合が多く、各画像の画像データは夫々ただ一つが記録媒体に保存されれば十分であった。
従来、このような事情から、一つの画像については１回だけ記録媒体に保存するというのが基本的な取扱いであり、どうしても複製を作製する必要があるときは、別途複製のための装置を備えるか、あるいは、そのような装置を備えられないときは、最初の画像データの取込みからやり直すというような作業形態をとっていた。
【特許文献１】特開２００３−１６２０１２号公報
【発明の開示】
【発明が解決しようとする課題】
【０００４】
しかしながら、近年のパーソナルコンピュータや高性能ゲーム機の普及等のデジタル化の進行により、広く一般家庭において記録媒体に記録された画像の再生環境が整えられる状況となった。
これに伴い、ミニラボ店等において、同一の画像について複数の記録媒体へ記録することを要望する注文が増大するに至った。
つまり、従来、同一の画像を焼き増しプリントして他者に配布していたのと同様の形態で、画像を記録した記録媒体を配布するというような取扱いが増えているのである。
このため、画像を記録した記録媒体の複製を、別途備える複製装置で作製する場合では、その複製作業によるオペレータの作業負担が増大し、又、最初の画像データの取込みからやり直す作業形態では、写真プリントシステムでの処理時間が長くなってしまうと共に、そのやり直しの間にオーダーが異なる等の異なるグループの画像についての処理が混在することになり、オペレータの取扱いが煩雑なものとなってしまう。
本発明は、かかる実情に鑑みてなされたものであって、その目的は、オペレータの作業負担を可及的に軽減しながら、同一画像を複数の記録媒体に記録できるようにする点にある。
【課題を解決するための手段】
【０００５】
本出願の第１の発明は、入力された写真プリント作製用の画像データを補正処理する画像処理装置と、入力されたデータを記録媒体に記録するデータ記録装置と、前記画像処理装置から出力された画像データを前記データ記録装置にて前記記録媒体に記録させる制御装置と、前記画像処理装置から出力された画像データに基づいて写真プリントを作製する写真プリント装置とが設けられた写真プリントシステムにおいて、前記制御装置に対して同一の画像の画像データを記録する記録媒体の数を指示入力する入力操作手段が設けられ、前記制御装置は、前記入力操作手段から指示入力された数の前記記録媒体に対して、同一の画像の画像データを記録させるように構成されている。
【０００６】
従って、画像を記録した記録媒体の複製を作製する装置を別途備えなくても、又、画像の取込みからやり直さなくても、同一の画像を記録した記録媒体を前記入力操作手段にて指定した数だけ作製できる。
ちなみに、近年のデータ記録装置における記録媒体への記録速度の向上により、複数の記録媒体に順次に同一の画像の画像データを記録する処理を行っても、それによる写真プリント装置への画像データの送出処理の遅延は小さいものとすることができる。
【０００７】
又、本出願の第２の発明は、上記第１の発明の構成に加えて、前記入力操作手段は、同一の画像の画像データを記録する前記記録媒体の数をオーダー単位で指定するように構成され、前記制御装置は、同一の画像を複数の記録媒体に記録するときに、オーダー単位で、前記記録媒体への記録を繰り返すように構成されている。
すなわち、写真処理業界では、店舗が写真プリントの作製を受注する注文単位（例えば、写真フィルム１本、あるいは、メモリーカード１枚等）をオーダーとして管理しているが、同一の画像について作製する記録媒体の数の設定や、記録媒体への記録処理をオーダー単位で管理することで、データ入力作業の効率化を図ることができる。
しかも、１オーダーの画像が複数の記録媒体にまたがるような場合では、単に記録媒体を複製したのでは複製後に複数の記録媒体を１オーダーがひとまとまりとなるように並び替える作業が必要となるのに対して、画像が記録された記録媒体がオーダー毎にまとまっているので、そのような並び替え作業が不要となる。
【０００８】
又、本出願の第３の発明は、上記第１又は第２の発明の構成に加えて、前記制御装置は、複数の前記記録媒体に対して同一の画像の画像データを記録するときに、前記記録媒体間で画像データのデータフォーマットを変更可能に構成されている。
すなわち、画像データを記録媒体に記録する際のデータフォーマットには各種の画像フォーマットが存在し、例えばＪＰＥＧ等の画像データを圧縮するデータフォーマットの他、非圧縮のビットマップデータのようなデータフォーマットも存在する。
同一の画像を記録した複数の記録媒体を作製するときの主要な用途として、焼き増しプリントを他者に配布するような形態で画像を記録した記録媒体を配布することが考えられるが、このような場合、非圧縮あるいは画像データの損失の少ないデータフォーマットで記録した記録媒体は、焼き増し等のためのオリジナルとして自己の手元においておき、圧縮して小さく取扱い易いファイルとした画像を記録した記録媒体は他者に配布する、というような取扱いが可能となる。
【０００９】
又、本出願の第４の発明は、上記第１〜第３のいずれかの発明の構成に加えて、前記制御装置は、前記記録媒体の収納ケースに添付するラベル用に、前記記録媒体に記録した画像の縮小画像をプリントしたインデックスプリントを、前記入力操作手段から指示入力された数と同数分作製させるように構成されている。
すなわち、記録媒体に画像を記録して顧客に提供するサービスでは、その記録媒体に記録されている画像の縮小画像をプリントしたインデックスプリントを、記録媒体の収納ケースのラベルとして添付する場合が多い。
このような場合において、記録媒体の収納ケースのラベル用として作製するインデックスプリントの枚数も、記録媒体の数を指定するための前記入力操作手段からの指示入力で一律に設定してしまうのである。
【発明の効果】
【００１０】
上記第１の発明によれば、画像を記録した記録媒体の複製を作製する装置を別途備えなくても、又、画像の取込みからやり直さなくても、同一の画像を記録した記録媒体を前記入力操作手段にて指定した数だけ作製できるので、オペレータの作業負担を可及的に軽減しながら、同一画像を複数の記録媒体に記録できるに至った。
又、上記第２の発明によれば、同一の画像について作製する記録媒体の数の設定や、記録媒体への記録処理をオーダー単位で管理することで、入力作業の効率化を図ることができると共に、１オーダーの画像が複数の記録媒体にまたがるような場合に記録媒体の並び替え作業が不要となって、オペレータの作業負担をより一層軽減できる。
【００１１】
又、上記第３の発明によれば、非圧縮あるいは画像データの損失の少ないデータフォーマットで記録した記録媒体は、焼き増し等のためのオリジナルとして自己の手元においておき、圧縮して小さく取扱い易いファイルとした画像を記録した記録媒体は他者に配布する、というような取扱いが可能となって、写真プリントシステムを一層便利なものとすることができる。
又、上記第４の発明によれば、記録媒体の収納ケースのラベル用として作製するインデックスプリントの枚数も、記録媒体の数を指定するための前記入力操作手段からの指示入力で一律に設定してしまうので、オペレータの作業負担を更に軽減することができる。
【発明を実施するための最良の形態】
【００１２】
以下、本発明の写真プリントシステムの実施の形態を図面に基づいて説明する。
本実施の形態で例示する写真プリントシステムＤＰは、いわゆるデジタルミニラボ機として知られているものであり、図２のブロック図に示すように、現像処理済みの写真フィルムやメモリーカード，光磁気ディスクあるいはＣＤ−Ｒメディア等の記録画像から画像データを取込む画像入力装置ＩＲと、画像入力装置ＩＲにて取込んだ画像データを画像形態対象部材である印画紙２にプリントして写真プリントを作製する写真プリント装置ＥＰとから構成されている。
【００１３】
〔画像入力装置ＩＲの概略構成〕
画像入力装置ＩＲには、図２に概略的に示すように、写真フィルムの駒画像を読み取るフィルムスキャナ３と、パーソナルコンピュータにて構成される制御装置４と、フィルムスキャナ３等から入力された写真プリント作製用の画像データを補正処理する画像処理装置５とが備えられ、制御装置４には、メモリーカードリーダ，光磁気ディスクドライブ及びＣＤ−Ｒ／ＲＷドライブ等を備えた外部入出力装置４ａと、仕上がりプリント画像をシミュレートしたシミュレート画像や各種の制御用の情報を表示するモニタ４ｂと、露光条件の手動設定等や制御情報の入力操作をするための操作卓４ｃとが接続され、更に図示を省略するマウス等も備えられている。
外部入出力装置４ａは、備えられている各ドライブから画像データの取込みが可能であると共に、各ドライブに対応した記録媒体に画像データ等を記録可能である。従って、外部入出力装置４ａは、入力データを記録媒体に記録するデータ記録装置ＤＲとして機能する。
【００１４】
〔画像処理装置５の概略構成〕
画像処理装置５には、図１に示すように、フィルムスキャナ３から入力された画像データを一時的に記憶保持する入力バッファメモリ２１と、入力バッファメモリ２１に記憶された画像の縮小画像を生成するサムネール生成回路２２と、入力バッファメモリ２１から読み込んだ画像データの補正処理を行う補正処理回路２３と、補正処理回路２３にて補正処理が完了した画像データを一時的に記憶保持する出力バッファメモリ２４とが備えられる他、制御装置４とデータ通信を行うための送受信インターフェース２５，２６が備えられている。
【００１５】
制御装置４側では、送受信インターフェース２５，２６の夫々と通信するために、２つの通信用拡張基板３１が制御装置４の本体基板３２に取り付けられている。
各通信用拡張基板３１上には、夫々、送受信インターフェース２５，２６の夫々とデータ通信するための送受信インターフェース４１と、送受信インターフェース４１を介して入力された画像データを記憶する画像データ受信用の受信メモリ４２とが備えられている。
【００１６】
〔写真プリント装置ＥＰの全体構成〕
図２に示すように、写真プリント装置ＥＰは、筐体内部に、画像形成装置ＥＸと、画像形成装置ＥＸにて露光形成された印画紙２を現像処理する現像処理装置ＰＰと、筐体内に配置された印画紙マガジン６から引き出された印画紙２を多数の搬送ローラ９等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダー毎に分類するためのソータが備えられ、現像処理装置ＰＰの排出口から排出された印画紙２をコンベア１０にてソータへ搬送する。
更に、印画紙搬送系ＰＴの搬送経路の途中には、印画紙マガジン６から引き出された長尺の印画紙２を設定プリントサイズに切断するカッタ１１と、印画紙２を複数の搬送列に振り分けるための振り分け装置１２が備えられている。
【００１７】
〔画像形成装置ＥＸの構成〕
画像形成装置ＥＸは、印画紙２上に露光画像を形成する画像形成ヘッド１３と、画像形成ヘッド１３を制御する露光制御装置１４とを主要部として構成されている。
画像形成ヘッド１３は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
露光制御装置１４は、画像処理装置５から入力された画像データに基づいて強度変調されたレーザビームが画像形成ヘッド１３から出射されるように、画像形成ヘッド１３を制御する。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１８】
〔制御装置４及び画像処理装置５の概略動作〕
次に制御装置４及び画像処理装置５の動作を、制御装置４が実行する図３乃至図５のフローチャートに即して説明する。
制御装置４は、図５に示す「プリント制御」処理において、モニタ４ｂに図６に示す「オーダー入力画面」を表示する（ステップ＃１）。
この「オーダー入力画面」の表示は、１つのオーダーに対して適用する各種の条件等を入力するためのものであり、オペレータが操作卓４ｃやマウスを操作して、顧客から受けたプリント注文に従って所定の条件を入力すると、その入力の都度、入力データが記憶保存される（ステップ＃２，＃３）。
【００１９】
図６に示す「オーダー入力画面」では、入力元選択ボタン表示５１をマウスでクリックすることにより、写真プリントを作製するための画像の入力元を選択することができ、図６では、入力元としてカラーネガフィルムを指定した状態を示している。画像の入力元としては、この他に、メモリーカードや光磁気ディスク，あるいは、ＣＤ−Ｒメディア等を指定できる。
又、出力設定欄５２では、出力先選択ボタン表示５３をマウスでクリックすることにより、画像処理装置５にて補正処理した画像データを記録保存する記録媒体を指定でき、図６では、ＣＤ−Ｒ／ＲＷメディアを指定した状態を示している。出力先選択ボタン表示５３の操作で選択できる記録媒体は、外部入出力装置４ａに搭載されている各種のドライブ用の記録媒体である。
【００２０】
出力設定欄５２には、出力先選択ボタン表示５３の他に、ラベル枚数入力欄５４，出力画像サイズ設定欄５５及びフォーマット指定欄５６等が表示される。
ラベル枚数入力欄５４は、画像を記録保存する記録媒体の収納ケースのラベル用としてインデックスプリントを作製する際の作製枚数を入力するための入力欄であり、同時に、この欄に入力した数字が同一の画像の画像データについて作製する記録媒体の数を指定することになっている。
出力画像サイズ設定欄５５は、記録媒体に記録する画像のサイズを指定するための入力欄であり、フォーマット指定欄５６は、記録媒体に記録する画像のデータ（ファイル）フォーマットを指定するための入力欄である。図６では、データフォーマットとして非圧縮のビットマップデータを指定した場合を示しているが、この他にＪＰＥＧ等の各種のデータフォーマットを指定できる。
【００２１】
これらの入力欄への入力値等は、上述のように、１つのオーダーに対して適用するものであり、オーダー単位で、作製する記録媒体の数等を指定していることになっている。
各入力欄への入力操作は、入力対象の入力欄にフォーカスした状態で、操作卓４ｃから数値等を入力することにより行う。これは、以下の画面表示においても同様である。従って、操作卓４ｃは、制御装置４に対して同一の画像の画像データを記録する記録媒体の数を入力する入力操作手段ＩＭとして機能する。
【００２２】
図６に示す「オーダー入力画面」では、これらの他にも、写真プリントのプリントサイズを指定するための入力欄、標準のインデックスプリントの作製条件を指定するための入力欄、モニタ４ｂに表示した画像をオペレータが目視により確認して補正処理条件を指示する作業を行うか否かを指定するボタン表示等が表示される他、写真プリントシステムの動作状態を表示するための表示欄等が表示される。
図６に示すように画像の入力元として写真フィルムが指定されているときは、フィルムスキャナ３に写真フィルムがセットされると（ステップ＃４）、その写真フィルムの読取り以降の処理へ移行する。
【００２３】
画像処理装置５では、フィルムスキャナ３が写真フィルムの駒画像が順次に読取られて入力されてくると、その入力されてくる画像データを入力バッファメモリ２１へ順次に蓄積していく。
サムネール生成回路２２は、オペレータがモニタ４ｂに表示された画像を目視して補正処理条件を入力するように設定されているときに、入力バッファメモリ２１から６駒単位で画像を読み出してそれの縮小画像を作製し、その縮小画像を送受信インターフェース２５を経て制御装置４側へ送信する。
制御装置４側では、送受信インターフェース２５から縮小画像の画像データが送られてくると、送受信インターフェース２５と接続した通信用拡張基板３１の受信メモリ４２へ順次に書き込んで行く。
【００２４】
制御装置４では、写真プリントシステムＤＰのオペレータが手動操作で画像の補正を行うための画像補正プログラムが実行されており、受信メモリ４２に前記縮小画像が書き込まれると、その縮小画像を利用してモニタ４ｂに画像補正作業用の画面表示を行う。
その画面表示上でオペレータが必要な補正の指示を完了すると、その６駒について入力された補正指示が送受信インターフェース２５を経て画像処理装置５の補正処理回路２３へ送信される。
これに伴って、補正処理回路２３は、補正指示のあった６駒の画像を入力バッファメモリ２１から読み出して、補正指示に従って色補正、シャープネス等の各種の補正処理を行って行く。
補正処理回路２３では、これら各種の補正処理をパイプライン的に処理して行く。
【００２５】
補正処理回路２３の処理と並行して、サムネール生成回路２２は後続の６駒の画像の縮小画像を生成して、制御装置４へ送信し、上記の処理が繰り返される。
補正処理回路２３へ画像データが送り出されて空きが生じた入力バッファメモリ２１の記憶エリアには、更に後続の画像データがフィルムスキャナ３から入力されるときは、その画像データが書き込まれていく。
【００２６】
補正処理回路２３にて補正処理が完了した画像データは出力バッファメモリ２４へ書き込まれ、写真プリント装置ＥＰの露光制御装置１４へ出力されてプリント処理されるのであるが、図６の「オーダー入力画面」においてラベル枚数入力欄５４が「１」以上の値に設定されているときは、１オーダーの画像について補正処理が完了した時点で、補正処理が完了した画像データを、記録媒体への記録用の画像データとして、送受信インターフェース２６を経て制御装置４へ送信する。
送受信インターフェース２６に接続された通信用拡張基板３１がこの補正完了後の画像データを受け取ると、その画像データが受信メモリ４２へ順次に書き込まれていく。
【００２７】
この記録媒体への記録保存用の画像データを受け取った制御装置４は、図３のフローチャートに示すメディア出力処理を開始し、先ず、図７に示す初期画面をモニタ４ｂにウィンドウ表示する。
図７の初期画面表示では、所定の案内事項の表示と共に、同一の画像についての記録枚数を入力するための枚数入力欄６１が表示される（ステップ＃１１）。
この枚数入力欄６１には、図６の「オーダー入力画面」のラベル枚数入力欄５４に入力された数字が初期表示される。
尚、図７は、記録媒体としてＣＤ−Ｒ／ＲＷメディアが指定された場合を例示している。
【００２８】
オペレータが枚数入力欄６１に新たな値を入力したときは（ステップ＃１２）、その値を記憶保存し（ステップ＃１３）、キャンセルボタン表示６２をマウスでクリックしたときは（ステップ＃１４）、メディア出力処理を終了する。
一方、オペレータが、枚数入力欄６１を初期表示のままで、あるいは、適宜に書き換えた後に、書込みボタン表示６３をマウスでクリックしたときは（ステップ＃１５）、図４に示す書込み処理を実行する（ステップ＃１６）。
【００２９】
図４の書込み処理では、外部入出力装置４ａ内に備えられている対応ドライブ（この時点では、ＣＤ−Ｒ／ＲＷドライブ）へ書込みデータを送出する（ステップ＃３１）。
但し、１オーダー分の画像の画像データ量が１つの記録媒体の記録容量よりも大きいときは、１オーダー分の画像を複数枚分に分けて送出し（ステップ＃３１）、その送出の都度（ステップ＃３２）、モニタ４ｂに図８に示すメディア交換案内の表示をウィンドウ表示する（ステップ＃３３）。オペレータが記録媒体を新しいものに交換した後に継続ボタン表示６５をマウスでクリックすると（ステップ＃３４）、１オーダー内の後続の画像の画像データが新しい記録媒体に記録されて行く。尚、中止ボタン表示６６を操作して（ステップ＃３５）処理を中止することもできる。
【００３０】
図７の枚数入力欄６１に入力された値が「１」で、必要な書込み処理が全て完了したときは（図３のステップ＃７）、図１０に示す終了表示をモニタ４ｂにウィンドウ表示して（ステップ＃１８）、オペレータがその終了表示の確認ボタン表示７１を操作すると（ステップ＃１９）、画像処理装置５から受け取った前記縮小画像を更に縮小して１オーダー分のインデックスプリント用画像を作製し、何枚プリントするかの情報と共に、画像処理装置へ送信し（ステップ＃２０）、写真プリント装置ＥＰにてプリント処理させる。
このとき作製するインデックスプリント用の画像は、記録媒体の収納ケースに添付するラベル用のインデックスプリントであり、作製枚数は、枚数入力欄６１へ入力された値と同数である。
【００３１】
一方、枚数入力欄６１に入力された値が「２」以上であり、同一のオーダーについて続けて記録媒体への記録処理を行う必要があるときは（図３のステップ＃１７）、モニタ４ｂに図９に示すメディア交換案内の表示をウィンドウ表示する（ステップ＃２１）。
図９のメディア交換案内表示では、図８のメディア交換案内表示と同様の中止ボタン表示７５及び継続ボタン表示７６が表示される他、画像データのデータ（ファイル）フォーマットを変更するためのフォーマット変更ボタン表示７７が表示される。
オペレータは、フォーマット変更ボタン表示７７を操作することにより、例えば、同一のオーダーについて、最初の書込み処理（ステップ＃１６）では、非圧縮のビットマップデータで画像を記録保存し、２回目以降では、例えばＪＰＥＧ等の圧縮画像フォーマットに変更して（ステップ＃２３）、記録媒体へ記録保存することができる。
【００３２】
オペレータが適宜にデータフォーマットを変更して、継続ボタン表示７６を操作すると、書込み処理（ステップ＃１６）が繰り返され、枚数入力欄６１の入力値と同数回だけ書込み処理（ステップ＃１６）を実行して処理が完了すると（ステップ＃１７）、図１０の終了画面表示（ステップ＃１８）の後、記録媒体の収納ケースに添付するラベル用のインデックスプリント用画像を作製して画像処理装置５へ送信し（ステップ＃２０）、処理を終了する。
画像処理装置５は、記録媒体の収納ケースに添付するラベル用のインデックスプリント用画像と共に補正処理後の画像データを写真プリント装置ＥＰの露光制御装置１４へ送信し、プリント処理させる。
【００３３】
以上のようにして制御装置４が記録媒体への画像の書込みを制御している間も、後続のオーダーについて、画像の取込みや前記画像補正プログラムによる補正入力操作が並行して実行されており、同一の画像の書込みを複数の記録媒体へ実行する場合に、最初のデータの取込み処理からやり直す必要がないので、別のオーダーの処理（画像データの取込み、及び、取込んだ画像データの補正の要否の判定作業等）を並行して行うことができ、装置の稼働効率が向上する。
【００３４】
〔別実施形態〕
以下、本発明の別実施形態を列記する。
（１）上記実施の形態では、画像を記録する記録媒体としてＣＤ−Ｒ／ＲＷメディアを主体に説明したが、光磁気ディスク等の他の形式の記録媒体に画像を記録する場合についても上述の実施の形態と同様にして、同一の画像を複数の記録媒体に記録させることができる。
（２）上記実施の形態では、写真プリント装置ＥＰが、強度変調されたレーザビームを印画紙２上で走査して画像を露光形成するレーザビーム露光式の画像形成ヘッド１３を備える場合を例示しているが、写真プリント装置ＥＰのプリント形式としては、ＰＬＺＴ光シャッタ方式により画像を露光形成するものでも良いし、更には、インクジェット式等の露光によらないプリント形式であっても良い。
【００３５】
（３）上記実施の形態では、基本的に１つの記録媒体に１オーダー分の画像を記録する場合を例示しているが、複数のオーダー分の画像を１つの記録媒体へ記録しても良い。
（４）上記実施の形態では、画像処理装置５は主にフィルムスキャナ３から入力される画像データを補正処理するものとして説明しているが、制御装置４に備えられた外部入出力装置４ａから取込んだ画像データを画像処理装置５へ入力して補正処理させても良いし、更に、外部入出力装置４ａと同等の画像読取り機能を有する注文受付端末を別途備えて、その注文受付端末から取込んだ画像データを補正処理させるように構成しても良い。
【図面の簡単な説明】
【００３６】
【図１】本発明の実施の形態にかかる要部ブロック構成図
【図２】本発明の実施の形態にかかる写真プリントシステムのブロック構成図
【図３】本発明の実施の形態にかかるフローチャート
【図４】本発明の実施の形態にかかるフローチャート
【図５】本発明の実施の形態にかかるフローチャート
【図６】本発明の実施の形態にかかるモニタの画面表示例
【図７】本発明の実施の形態にかかるモニタの画面表示例（ウィンドウ表示）
【図８】本発明の実施の形態にかかるモニタの画面表示例（ウィンドウ表示）
【図９】本発明の実施の形態にかかるモニタの画面表示例（ウィンドウ表示）
【図１０】本発明の実施の形態にかかるモニタの画面表示例（ウィンドウ表示）
【符号の説明】
【００３７】
４    制御装置
５    画像処理装置
ＤＲ  データ記録装置
ＥＰ  写真プリント装置
ＩＭ  入力操作手段
【図１】
2005250075.tif 000003
【図２】
2005250075.tif 000004
【図３】
2005250075.tif 000005
【図４】
2005250075.tif 000006
【図５】
2005250075.tif 000007
【図６】
2005250075.tif 000008
【図７】
2005250075.tif 000009
【図８】
2005250075.tif 000010
【図９】
2005250075.tif 000011
【図１０】
2005250075.tif 000012